(57)【要約】      （修正有）【課題】フロアタムの脚固定具に固定するだけで、音の持続性が良くなり、かつ音の歪みを少なくすることのできるフロアタム用支持脚およびこれを備えたフロアタムを提供する。【解決手段】ドラムセットを構成する打楽器であるフロアタム１において円筒状のタム本体２を床面から所定の高さで支持するためのフロアタム用支持脚３であって、少なくとも上向きの凸状に形成された折返し部を有している。また、折返し部の基端側から下方に向けて延出され脚固定具５に上方から挿入されて固定される固定脚部と、折返し部の先端側から床面まで下方に向けて延出される支持脚部とを有してもよい。【選択図】図１
0003199434.tif 000002
【実用新案登録請求の範囲】
【請求項１】
ドラムセットを構成する打楽器であるフロアタムにおいて円筒状のタム本体を床面から所定の高さで支持するためのフロアタム用支持脚であって、少なくとも上向きの凸状に形成された折返し部を有している、前記フロアタム用支持脚。
【請求項２】
前記折返し部の基端側から下方に向けて延出され脚固定具に上方から挿入されて固定される固定脚部と、前記折返し部の先端側から床面まで下方に向けて延出される支持脚部とを有する、請求項１に記載のフロアタム用支持脚。
【請求項３】
前記固定脚部の下端部には、当該固定脚部が挿入される前記脚固定具の挿通孔の孔径よりも大径に形成されている落下防止用ストッパーが設けられている、請求項２に記載のフロアタム用支持脚。
【請求項４】
前記固定脚部と前記折返し部とにより構成される屈曲部の屈曲角度が約１２０度から約１８０度であって、前記折返し部と前記支持脚部とで構成される屈曲部の屈曲角度が約１２０度から約１８０度である、請求項２または請求項３に記載のフロアタム用支持脚。
【請求項５】
前記折返し部が円弧状に湾曲形成されており、その内周における曲率半径が約１０ｍｍから約１００ｍｍに形成されている、請求項１から請求項３のいずれかに記載のフロアタム用支持脚。
【請求項６】
ドラムセットを構成する打楽器であるフロアタムであって、請求項１ないし請求項５のいずれかに記載のフロアタム用支持脚を、タム本体の外周側面に設けられた脚固定具に固定してなる、前記フロアタム。
【考案の詳細な説明】
【技術分野】
【０００１】
本考案は、ドラムセットを構成する一打楽器であるフロアタムであって、このフロアタムを支持するフロアタム用支持脚およびこれを備えたフロアタムに関するものである。
【背景技術】
【０００２】
フロアタムは、スネアドラム、ハイハット、シンバル等からなるドラムセットを構成する一打楽器である。このフロアタムは、図１９に示すように、円筒状に形成されたタム本体と、このタム本体を支持する複数本の支持脚とによって構成されている。
【０００３】
従来の支持脚は、図１９に示すように、棒状部材であり、支持する際の安定性を良くするため下方において外側に拡開されるように屈曲されている。この支持脚は、タム本体の外周側面に設けられた脚固定具からほぼ真下に向けて延出されており、前記タム本体を所定の高さで支持できるようになっている。
【０００４】
しかし、このような従来の支持脚によって支持されるフロアタムでは、打面を打った振動、特に上下方向の振動が、前記支持脚を介して直接的に床面に伝わり、当該床面に吸収され易いという問題がある。そのため、音の延びや持続性が悪く、つまったような音やこもったような音になる。また、床面から伝わるノイズ等が支持脚を介してタム本体に反響し、音の歪みの原因にもなる。つまり、従来の支持脚の形状は、フロアタム本来の音響効果を妨げる要因の一つとなっている考えられる。
【０００５】
そこで、これまでに、音の響きを保持することのできる新たなドラム保持構造に関する提案がなされている。
【０００６】
例えば、特開平５−３５２６２号公報には、ドラムの胴にその外周面から突出して固定される固定部材と、この固定部材に取り付けられる保持部材とを具備しており、前記固定部材は、前記ドラムの胴の軸線方向の一端面から所定距離離れ、かつ、このドラムの打撃に伴う胴振動の振幅が最小となる円周位置に固定されることを特徴とするドラムの保持構造が提案されている（特許文献１）。この特許文献１によると、音の響きが前記固定部材により妨げられることがなくなるため、前記音の響きを保持することができるとされている。
【先行技術文献】
【特許文献】
【０００７】
【特許文献１】特開平５−３５２６２号公報
【考案の概要】
【考案が解決しようとする課題】
【０００８】
しかしながら、特許文献１に記載の考案では、胴振幅の最小となる位置が、ドラムの形状、ドラムの素材、打撃面の素材等によって異なり、更に厳密には温度環境および音のチューニング等によっても変化するため、前記位置を正確に把握するのが非常に困難であるという問題がある。このため、当該考案は、専用に設計されたドラムに使用せざるを得なく、既存のドラムには使用できないという汎用性の点で大きな問題がある。
【０００９】
本考案は、これらのような問題点を解決するためになされたものであって、フロアタムの脚固定具に固定するだけで、音の持続性が良くなり、かつ音の歪みを少なくすることのできるフロアタム用支持脚およびこれを備えたフロアタムを提供することを目的としている。
【課題を解決するための手段】
【００１０】
本考案に係るフロアタム用支持脚は、ドラムセットを構成する打楽器であるフロアタムにおいて円筒状のタム本体を床面から所定の高さで支持するためのフロアタム用支持脚であって、少なくとも上向きの凸状に形成された折返し部を有している。
【００１１】
また、本考案の一態様として、前記折返し部の基端側から下方に向けて延出され前記脚固定具に上方から挿入されて固定される固定脚部と、前記折返し部の先端側から床面まで下方に向けて延出される支持脚部とを有してもよい。
【００１２】
さらに、本考案の一態様として、前記固定脚部の下端部には、当該固定脚部が挿入される前記脚固定具の挿通孔の孔径よりも大径に形成されている落下防止用ストッパーが設けられていてもよい。
【００１３】
また、本考案の一態様として、前記固定脚部と前記折返し部とにより構成される屈曲部の屈曲角度が約１２０度から約１８０度であって、前記折返し部と前記支持脚部とで構成される屈曲部の屈曲角度が約１２０度から約１８０度であってもよい。
【００１４】
さらに、本考案の一態様として、前記折返し部が円弧状に湾曲形成されており、その内周における曲率半径が約１０ｍｍから約１００ｍｍに形成されていてもよい。
【００１５】
本考案に係るフロアタムは、ドラムセットを構成する打楽器であるフロアタムであって、前記フロアタム用支持脚を、タム本体の外周側面に設けられた脚固定具に固定してなる。
【考案の効果】
【００１６】
本考案によれば、フロアタムの脚固定具に固定するだけで、音の持続性が良くなり、かつ音の歪みを少なくすることができる。
【図面の簡単な説明】
【００１７】
【図１】本考案に係るフロアタムの一実施形態を示す斜視図である。
【図２】本実施形態における脚固定具を示す一部断面図である。
【図３】本実施形態のフロアタム用支持脚を示す正面図である。
【図４】本考案の他の実施形態であって、円弧状に湾曲させた折返し部を有するフロアタム用支持脚を示す正面図である。
【図５】本考案の他の実施形態であって、複数の折返し部が連続して形成されているフロアタム用支持脚を示す正面図である。
【図６】本考案の他の実施形態であって、固定脚部を脚固定具に下方から挿入固定して折返し部を前記固定脚部の下部から外方向に延出させたフロアタム用支持脚を備えたフロアタムを示す斜視図である。
【図７】本考案の他の実施形態であって、固定脚部と折返し部とにより構成される屈曲部の屈曲角度θ２が約１８０度、支持脚部と折返し部とにより構成される屈曲部の屈曲角度θ３が約１４０度に形成されているフロアタム用支持脚を示す正面図である。
【図８】本実施形態における落下防止用ストッパーの他の実施例を示す斜視図である。
【図９】本考案の他の実施形態であって、固定脚部と折返し部とにより構成される屈曲部の屈曲角度θ２および支持脚部と折返し部とにより構成される屈曲部の屈曲角度θ３がともに約１８０度に形成されているフロアタム用支持脚を示す正面図である。
【図１０】本実施例１において、市販のフロアタムを打つことで発せられた音の音圧データおよびこの音圧データをデシベル換算したグラフである。
【図１１】本実施例１において、本発明に係るフロアタム用支持脚を備えたフロアタムを打つことで発せられた音の音圧データおよびこの音圧データをデシベル換算したグラフである。
【図１２】図１０に示した音圧データの打撃時１秒から５秒までを示すグラフである。
【図１３】図１１に示した音圧データの打撃時１秒から５秒までを示すグラフである。
【図１４】図１２に示した音圧データの打撃時１秒から１．２５秒までを示すグラフである。
【図１５】図１３に示した音圧データの打撃時１秒から１．２５秒までを示すグラフである。
【図１６】本実施例１において、市販のフロアタムを打つことで発せられた音および本考案に係るフロアタム用支持脚を備えたフロアタムを打つことで発せられた音に含まれる周波数成分を解析したパワースペクトルを示すグラフである。
【図１７】図１６に示したパワースペクトルデータの９０Ｈｚ近辺を拡大したグラフである。
【図１８】本考案の他の実施形態であって、折返し部、固定脚部および支持脚部をそれぞれ別体として形成して連結したフロアタム用支持脚を示す正面図である。
【図１９】従来のフロアタムを示す斜視図である。
【考案を実施するための形態】
【００１８】
以下、本考案に係るフロアタム用支持脚およびこれを備えたフロアタムの一実施形態について図面を用いて説明する。
【００１９】
本実施形態のフロアタム１は、ドラムセットを構成する一打楽器であって、図１に示すように、円筒状に形成されたタム本体２と、このタム本体２を床面から所定の高さで支持するフロアタム用支持脚３とを有する。
【００２０】
タム本体２は、市販のフロアタムの本体部分である。このタム本体２は、木や合成樹脂等によって円筒状に形成されており、上部には打面となるドラムヘッド４が布設されている。また、タム本体２の外周側面には、フロアタム用支持脚３を固定するための脚固定具５が設けられている。
【００２１】
脚固定具５は、フロアタム用支持脚３を挿入し締め付け固定するための締め付け機構を備えており、本実施形態では、図２に示すように、フロアタム用支持脚３を上下方向から挿入可能な挿入孔５１と、この挿入孔５１に側面から連通するネジ穴５２と、このネジ穴５２に螺合して前記挿入孔５１に挿入されたフロアタム用支持脚３を締め付け固定する固定ネジ５３とを有している。
【００２２】
なお、脚固定具５の形状等は、特に限定されるものではなく、タム本体２の外周側面においてフロアタム用支持脚３を固定できる機構から適宜選択してもよい。
【００２３】
フロアタム用支持脚３は、タム本体２を床面から所定の高さで支持するためのものであり、少なくとも上向きの凸状に形成された折返し部３１を有している。本実施形態におけるフロアタム用支持脚３は、図３に示すように、棒状部材を屈曲または湾曲させることにより形成されており、前記折返し部３１の基端側に設けられた脚固定具５に固定される固定脚部３２と、前記折返し部３１の先端部から床面まで延設される支持脚部３３とを有している。なお、フロアタム用支持脚３を構成する折返し部３１、固定脚部３２、支持脚部３３は折り曲げ加工等により一体的かつ連続的に形成されているが、これに限定されるものではなく、後述するように各部を別体として形成し、接合してフロアタム用支持脚３を構成してもよい。
【００２４】
折返し部３１は、上向きの凸状に形成されており、本実施形態では、図３に示すように、固定脚部３２の上端部から斜め上方に向けて形成されているとともに、略垂下方向に向けて屈曲されている。この折返し部３１は、固定脚部３２から外方向に向けて形成することにより、その弾性によってタム本体２における振動を持続できるようになっている。また、折返し部３１の屈曲角度θ１は、特に限定されるものではないが、折返し部３１が弾性を発揮させ易く、かつタム本体を支持したときのバランスの良さや楽器として格好良く見えるデザイン上の観点から、約２０度から約９０度までの間の角度にすることが好ましく、本実施形態では約４０度に形成されている。
【００２５】
また、折返し部３１は、図４に示すように、円弧状に湾曲形成してもよい。このとき、円弧状に湾曲形成された折返し部３１の内周における曲率半径Ｒは、特に限定されるものではないが、折返し部３１が弾性を発揮させ易く、かつタム本体を支持したときのバランスの良さや楽器として格好良く見えるデザイン上の観点から、約１０ｍｍから約１００ｍｍが好ましく、約３０ｍｍにすることがより好ましい。
【００２６】
なお、折返し部３１は、上述したような１本のフロアタム用支持脚３に１つだけ備える構成に限定されるものではなく、例えば、図５に示すように、複数の折返し部３１，３１，３１が連続して形成されるように構成してもよい。また、折返し部３１は、固定脚部３２の上部から形成されているものに限定されるものではなく、図６に示すように、固定脚部３２を脚固定具５に下方から挿入し、前記固定脚部３２の下部から外側上方に向けて延出され、上向きの凸状に形成されるように構成してもよい。
【００２７】
固定脚部３２は、脚固定具５により固定される部分であり、前記脚固定具５により固定される位置を変えることができるように略直線状に形成されている。よって、固定脚部３２では、脚固定具５に対する固定位置を変えることによって、タム本体２を支持する高さの調整が行えるようになっている。
【００２８】
また、固定脚部３２は、図３に示すように、前記折返し部３１の基端側から下方に向けて設けられている。この固定脚部３２と前記折返し部３１とにより構成される屈曲部の屈曲角度θ２は、特に限定されるものではないが、前記折返し部３１が弾性を発揮させ易く、かつタム本体２を支持したときのバランスの良さや打楽器として格好良く見えるデザイン上の観点から、約１２０度から、例えば、図７に示すように、約１８０度までの間の角度にすることが好ましく、本実施形態では約１４０度に形成されている。
【００２９】
また、本実施形態における固定脚部３２の下端部には、落下防止用ストッパー３４が設けられている。この落下防止用ストッパー３４は、タム本体２が前記固定脚部３２から抜け落ちるのを防止するためのものである。そのため落下防止用ストッパー３４は、前記脚固定具５の挿通孔５１の孔径よりも大径に形成されており、本実施形態では、固定脚部３２の下端部に設けられたネジ穴（図示しない）に締結固定されるようになっている。
【００３０】
なお、落下防止用ストッパー３４の形状および構造は、特に限定されるものではなく、例えば、図８に示すように、固定脚部３２を挿通孔５１に挿入する際には折り畳まれ、貫通した後に横に倒れて広がるような、タム本体２を固定脚部３２の下端部において掛止可能な形状や機構等から適宜選択してもよい。
【００３１】
支持脚部３３は、折返し部３１が弾性を発揮できる状態で支持する部分であり、前記折返し部３１の先端部から床面まで延設されている。この支持脚部３３と前記折返し部３１とにより構成される屈曲部の屈曲角度θ３は、特に限定されるものではないが、折返し部３１が弾性を発揮させ易く、かつタム本体を支持したときのバランスの良さや打楽器として格好良く見えるデザイン上の観点から、約１２０度から約１８０度までの間の角度にすることが好ましく、本実施形態では約１８０度に形成されている。なお、前記屈曲角度θ３と、固定脚部３２と折返し部３１とにより構成される屈曲部の屈曲角度θ２とは、前記折返し部３１が上向きの凸状に形成されている限りにおいて、図９に示すように、いずれも約１８０度に形成することができる。
【００３２】
本実施形態における支持脚部３３は、図３に示すように、略直線状に形成されており、タム本体２が落下防止用ストッパー３４に係止されている状態において床面と接触しない位置で支えられる長さを有している。
【００３３】
なお、支持脚部３３は、略直線状に垂下される形状に限定されるものではなく、安定性を向上させるために下端部を外方向に屈曲させたり、逆に内方向に傾斜させる等、適宜変更を加えてもよい。
【００３４】
つぎに、本第一実施形態のフロアタム用支持脚３およびこれを備えたフロアタム１の各構成の作用について説明する。
【００３５】
フロアタム用支持脚３は、タム本体２の脚固定具５に固定されることで、前記タム本体２を支持する。本実施形態のフロアタム用支持脚３は、折返し部３１の基端側から下方に向けて固定脚部３２が設けられているため、前記固定脚部３２の下端部を脚固定具５の挿入孔５１の上方から挿入する。脚固定具５は、固定脚部３２を任意の位置に固定することによって、前記タム本体２を支持する高さを任意に調整することができる。また、各フロアタム用支持脚３の固定位置を変えることで、タム本体２を斜めに支持することができる。
【００３６】
また、落下防止用ストッパー３４は、脚固定具５の固定ネジ５３による締結力が低下した場合や前記固定ネジ５３による締結力が不十分だった場合等に、タム本体２が前記固定脚部３２から抜け落ちないように脚固定具５を掛止する。これにより、落下防止用ストッパー３４は、前記タム本体２が固定脚部３２から抜け落ちるのを防止し、前記タム本体２が床面に衝突する等して破損するのを防ぐ。
【００３７】
つぎに、音響的な作用について説明する。本実施形態のフロアタム用支持脚３を備えたフロアタム１では、ドラムヘッド４が打たれることで振動し、その振動が周囲の空気を振るわせて音となる。この音となる振動は、脚固定具５を介してフロアタム用支持脚３に伝わる。
【００３８】
折返し部３１は、タム本体２の外方向に延出され、支持脚部３３によって支持されているため上下方向の曲げに対して弾性が発揮される。そのため、折返し部３１では、前記弾性によって上下方向に振動し易く、タム本体２の振動を持続させることができる。これにより、ドラムヘッド４を打つことによって生じた音は、後述する実施例１に示すように、音の延びや持続性が良くなる。
【００３９】
また、折返し部３１は、床面から離れた位置に設けられるため、他の楽器等のノイズとなる振動の影響を受けにくく、逆に、タム本体２に反響している音は折返し部３１によってフロアタム用支持脚３から逃げにくい。そのため、本実施形態のフロアタム１は、後述の実施例１に示すように、タム本体２が有する本来の音質を十分に発揮させることができ、クリアな音を発生させることができる。
【００４０】
以上のような本実施形態のフロアタム用支持脚３およびこれを備えたフロアタム１によれば、以下の効果を得ることができる。
１．タム本体２が打たれて生じる振動を持続させることで、音の延びや持続性を良くすることができる。
２．音の歪みが少なくなるため、タム本体２が有する本来のクリアーな音質を得ることができる。
３．フロアタム用支持脚３は、市販されているタム本体２の脚固定具５をそのまま利用することができるので、容易に交換できる。
【実施例１】
【００４１】
本実施例１では、市販のフロアタムと、このフロアタムの支持脚を本考案に係るフロアタム用支持脚に交換した場合との音響効果の差について実験により検証を行った。実験は、前記フロアタム打面を一定の強さで打ち、発生する音を音圧計測器により計測を行った。
【００４２】
『音の持続性の検証』
実験により得られた結果を図１０および図１１に示す。まず、これらの結果から、音の持続性について検証を行った。
【００４３】
図１０は、市販のフロアタムにより得られた結果である。上のグラフは、縦軸が音圧計測器により計測された音圧であり、横軸が経過時間である。また、下のグラフは上のグラフで示した音圧データを音の大きさを示すデシベルに換算したグラフであって、実際に聞こえる音の強弱を示している。
【００４４】
図１０の下のグラフに示すように、聞こえる音はフロアタムを打った直後に大きな音が聞こえる。この音はタム本体に反響することで、うなりとなってほぼ一定の周期の音の強弱を繰り返すようになる。そして、強弱を繰り返す音は、時間の経過とともに全体的に徐々に弱まっていく。
【００４５】
図１１は、本考案に係るフロアタム用支持脚を備えたフロアタムにより得られた結果である。図１０と同様、上のグラフは、音圧計測器により計測された音圧であり、下のグラフはデシベルに換算したグラフである。
【００４６】
図１１の下のグラフに示すように、市販のフロアタムの結果と同様、聞こえる音はフロアタムを打った直後に大きな音が聞こえ、その音は、ほぼ一定の周期の強弱を繰り返しながら徐々に弱まっていく。
【００４７】
ここで、市販のフロアタムと、本考案に係るフロアタム用支持脚を備えたフロアタムとの音の弱まる速さを比較した。フロアタムを打った時点から、所定の音の大きさになるまでの速さを比較することもできるが、この方法だとフロアタムを打つ強さに違いがあった場合に正確な比較が行えない。そこで、このような実験条件の違いによる誤差をなくすため、比較対象として、−２０ｄＢから−４０ｄＢまで減少する時間間隔を用いた。
【００４８】
市販のフロアタムでは、図１０に示すように、−２０ｄＢから−４０ｄＢまで減少するのに約３．４秒を要した。一方、本考案に係るフロアタム用支持脚を備えたフロアタムの場合は、市販のフロアタムの場合より長い、約３．７秒を要した。つまり、本実験では、本考案に係るフロアタム用支持脚を備えたフロアタムは、市販のフロアタムに比べて、約０．３秒長く大きな音を出し続けることができた。
【００４９】
以上より、本考案に係るフロアタム用支持脚を備えたフロアタムは、市販のフロアタムに比べて、音の持続性が良いことが実験により検証できた。
【００５０】
『音の歪みの検証』
つぎに、同じ実験データに基づき、音の歪みについての検証も行った。
【００５１】
図１２は、市販のフロアタムの実験結果であり、図１０の上のグラフにおける打撃時１秒から５秒までを拡大したものである。この図１２に示すように、音圧は短い間隔で振幅を繰り返す。基本的に、この振幅の周波数が、フロアタムにより発せられた音の周波数、つまり音程となる。また、この音は上述のとおり、タム本体に反響することでうなりを生じさせる。このうなりは、図１２に示すように、各波における最大値または最小値を結ぶ波形となって表れる。
【００５２】
図１３は、本考案に係るフロアタム用支持脚を備えたフロアタムの実験結果であり、図１１の上のグラフにおける打撃時１秒から５秒までを拡大したものである。この図１３に示すように、市販のフロアタムの場合と同様、音程を表している短い周期の音圧と、うなりを示す長い周期の波形が表れる。
【００５３】
ここで、市販のフロアタムの実験結果である図１２に示されるうなりの波形同士を比べると、本考案に係るフロアタム用支持脚を備えたフロアタムの実験結果である図１３に示されるうなりの波形が正弦波に近い綺麗な波形となっている。つまり、市販のフロアタムに比べて、本考案に係るフロアタム用支持脚を備えたフロアタムの方が、歪みが少ないクリアーなうなりの音が聞こえることを示している。
【００５４】
また、図１４および図１５は、図１２および図１３の打撃時１秒から１．２５秒までを拡大したグラフである。図１５に示される波形は、正弦波に近い波形をしているのに対し、図１４示される波形は、それに比べて波形が崩れている。つまり、市販のフロアタムの音は、本考案に係るフロアタム用支持脚を備えたフロアタムの音に比べて、複数の周波数の音が含まれることによって波形が崩れたものと考えられる。
【００５５】
そこで、計測された音圧の周波数成分を解析するため、パワースペクトルを算出した。算出した結果を図１６に示す。
【００５６】
図１６は、１０００Ｈｚまでの周波数解析を行った結果である。市販のフロアタムの音および本考案に係るフロアタム用支持脚を備えたフロアタムの音は、ぞれぞれのパワースペクトルに複数のピークが表れる。
【００５７】
ここで、パワースペクトルのより詳細な比較のため、ピーク値が最も大きい９０Ｈｚ前後のパワースペクトルを拡大したものを図１７に示す。この図１７に示すように、本考案に係るフロアタム用支持脚を備えたフロアタムの音の成分には、約８９．５Ｈｚと約９４．４Ｈｚの周波数成分が含まれている。この傾向は市販のフロアタムの音についても同様であり、これらの周波数が、フロアタム本来の周波数成分であるものと考えられる。
【００５８】
ここで、市販のフロアタムの音には、約６１．４Ｈｚの周波数成分も含まれている。この周波数は、本考案に係るフロアタム用支持脚を備えたフロアタムの音には含まれていない。つまり、この周波数成分は、図１４に示すように、市販のフロアタムにおいて音圧の波形が正弦波から崩れる原因の一つとなる、歪みであるものと考えられる。
【００５９】
また、図１６および図１７に示すように、本考案に係るフロアタム用支持脚を備えたフロアタムの音には、市販のフロアタムの音に含まれない周波数成分は少なく、あったとしてもパワースペクトルのピーク値が小さい。よって、本考案に係るフロアタム用支持脚を備えたフロアタムの音には、歪みとなるノイズが非常に少ないといえる。
【００６０】
以上より、本考案に係るフロアタム用支持脚を備えたフロアタムの音は、市販のフロアタムの音に比べて、歪みが少なくクリアな音となることが実験により検証できた。
【００６１】
なお、本考案に係るフロアタム用支持脚およびこれを備えたフロアタムは、前述した各実施形態に限定されるものではなく、適宜変更することができる。
【００６２】
例えば、フロアタム用支持脚３の断面形状は、円形に限定されるものではなく、楕円形や多角形であってもよい。
【００６３】
また、本実施形態のフロアタム用支持脚３は、棒状部材を屈曲または湾曲させて形成しているものに限定されるものではなく、図１８に示すように、折返し部３１、固定脚部３２および支持脚部３３をそれぞれ別体として形成し、各部を溶接やボルトナット等の締結部材によって組み立てて構成するようにしてもよい。
【符号の説明】
【００６４】
１  フロアタム
２  タム本体
３  フロアタム用支持脚
４  ドラムヘッド
５  脚固定具
３１  折返し部
３２  固定脚部
３３  支持脚部
３４  落下防止用ストッパー
５１  挿入孔
５２  ネジ穴
５３  固定ネジ
【図１】
0003199434.tif 000003
【図２】
0003199434.tif 000004
【図３】
0003199434.tif 000005
【図４】
0003199434.tif 000006
【図５】
0003199434.tif 000007
【図６】
0003199434.tif 000008
【図７】
0003199434.tif 000009
【図８】
0003199434.tif 000010
【図９】
0003199434.tif 000011
【図１８】
0003199434.tif 000012
【図１９】
0003199434.tif 000013
【図１０】
0003199434.tif 000014
【図１１】
0003199434.tif 000015
【図１２】
0003199434.tif 000016
【図１３】
0003199434.tif 000017
【図１４】
0003199434.tif 000018
【図１５】
0003199434.tif 000019
【図１６】
0003199434.tif 000020
【図１７】
0003199434.tif 000021